(57)【要約】【課題】記録部材の帯電量が変動した場合であっても、画像品質の劣化を防ぐことができる画像形成装置を提供する。【解決手段】二次転写ニップ部を通過した記録材Ｐのトナー像が転写された画像面の表面電位を表面電位計６４で測定し、その測定結果が制御部６５に入力される。制御部６５では測定結果に基づいて、記録材Ｐで剥離放電による転写チリが生じない除電バイアスの大きさを決定し、決定した除電バイアスを転写出口ガイド板１６に印加するように、除電バイアス電源６６を制御する。【選択図】図２
2013057901.tif 000002
【特許請求の範囲】
【請求項１】
トナー像を担持する像担持体と、
前記像担持体上のトナー像を記録部材に転写する転写手段と、
前記転写手段によってトナー像が転写された前記記録部材を除電する除電部材と、
前記除電部材に除電バイアスを印加する除電バイアス印加手段と、を備えた画像形成装置において、
前記除電バイアス印加手段から出力される除電バイアスを前記記録部材の帯電量に基づいて制御する除電バイアス制御手段を設けたことを特徴とする画像形成装置。
【請求項２】
請求項１の画像形成装置において、
トナー像転写面の表面電位を検出する表面電位検出手段を設け、
前記除電バイアス制御手段は前記表面電位検出手段の検出結果を前記記録部材の帯電量として用いることを特徴とする画像形成装置。
【請求項３】
請求項１又は２の画像形成装置において、
前記転写手段によってトナー像が転写された後の前記記録部材の搬送をガイドする搬送用ガイド部材を設け、
前記搬送用ガイド部材が前記除電部材を兼ねることを特徴とする画像形成装置。
【請求項４】
請求項３の画像形成装置において、
前記搬送用ガイド部材を複数備え、
前記転写手段に最も近い位置に配設された前記搬送用ガイド部材が前記除電部材を兼ねることを特徴とする画像形成装置。
【請求項５】
請求項１乃至４のいずれかの画像形成装置において、
前記除電バイアス印加手段は、前記除電部材に直流の除電バイアスを印加することを特徴とする画像形成装置。
【請求項６】
請求項２乃至５のいずれかの画像形成装置において、
前記表面電位検出手段を表面電位計を用いて構成したことを特徴とする画像形成装置。
【請求項７】
請求項２乃至６のいずれかの画像形成装置において、
前記表面電位検出手段を、前記記録部材の搬送方向と直交する幅方向における該記録部材の略中央部の表面電位を検出するように構成したことを特徴とする画像形成装置。
【請求項８】
請求項３乃至７のいずれかの画像形成装置において、
前記搬送用ガイド部材の前記記録部材が搬送されて接する部分をモールド成型部材とし、該搬送用ガイド部材の該記録部材が接しない部分を薄板状の導電性部材としたことを特徴とする画像形成装置。
【請求項９】
請求項８の画像形成装置において、
前記除電バイアス印加手段は、前記薄板状の導電性部材に除電バイアスを印加することを特徴とする画像形成装置。
【発明の詳細な説明】
【技術分野】
【０００１】
本発明は、トナー像が転写された記録部材を除電可能な画像形成装置に関するものである。
【背景技術】
【０００２】
従来、この種の画像形成装置として、感光体や中間転写ベルトなどの像担持体に担持されたトナー像を、次のようにして記録部材としての記録紙に転写する画像形成装置が知られている。この画像形成装置では、像担持体と、転写ローラ等の当接部材とによって形成した転写ニップ内に記録紙を挟み込みながら、像担持体上のトナー像を記録紙に静電転写する。その後、トナー像が転写された記録紙を像担持体から離間させる際に、像担持体と、転写ニップ内で電荷が付与された記録紙との間で剥離放電を発生させることがある。このような剥離放電が起こると、記録紙上のトナー像の周囲に像内のトナーを飛び散らせる転写チリと呼ばれる現象が発生して画像が乱れてしまう。そこで、転写ニップの出口付近で記録紙に、除電バイアスを印加した除電部材を接触させることにより、像担持体から離間する際の記録紙を除電し、剥離放電の発生を抑えている。
【０００３】
上記構成の画像形成装置では、記録材を除電するための除電針、除電布などの除電部材は、通紙されることで紙粉が付着するため、放電能力が低下し、異常画像を生じさせるという問題がある。
【０００４】
そこで、除電部材も紙粉が付着して放電能力が低下した場合であっても、最適な除電バイアスを得るために、除電バイアスを印加している際（すなわち画像形成動作中でありトナー像転写中）の除電電流を検知し、その除電電流が所定値となるように除電バイアスを制御する除電技術が既に知られている。
また、特許文献１には、転写を行う前に、除電部材に所定の電圧を印加し放電対象との間で放電させて、除電部材と放電対象との間に流れる電流を検出し、その検出値に基づいてトナー像転写時における除電部材に対する除電電圧を決定する画像形成装置が開示されている。
【発明の概要】
【発明が解決しようとする課題】
【０００５】
しかしながら、記録材の帯電量は環境、紙種、画像面積率などによって変動するため、除電電流が所定値となるように除電バイアスを制御する従来の除電技術では、除電バイアスの大きさによっては、除電が困難であったり、転写チリが発生したりして画像品質が劣化する問題がある。
また、上記特許文献１で開示された画像形成装置は、転写前に検出した電流値に基づいて除電電圧を決定するため、記録材の帯電量の変動には対応できず、転写チリが発生して画像品質が劣化する問題がある。
【０００６】
本発明は以上の問題点に鑑みなされたものであり、その目的は、記録部材の帯電量が変動した場合であっても、画像品質の劣化を防ぐことができる画像形成装置を提供することである。
【課題を解決するための手段】
【０００７】
上記目的を達成するために、請求項１の発明は、トナー像を担持する像担持体と、前記像担持体上のトナー像を記録部材に転写する転写手段と、前記転写手段によってトナー像が転写された前記記録部材を除電する除電部材と、前記除電部材に除電バイアスを印加する除電バイアス印加手段と、を備えた画像形成装置において、前記除電バイアス印加手段から出力される除電バイアスを前記記録部材の帯電量に基づいて制御する除電バイアス制御手段を設けたことを特徴とするものである。
【発明の効果】
【０００８】
本発明によれば、記録部材の帯電量に基づいて制御された除電バイアスが除電部材に出力され、除電部材から転写後の記録部材に除電バイアスが印加される。これにより、記録部材の帯電量が変動した場合であっても、記録部材にはその帯電量に応じた適切な除電バイアスが印加され、転写チリなどによる画像品質の劣化を防ぐことができる。
【図面の簡単な説明】
【０００９】
【図１】本発明の実施形態に係る画像形成装置の概略構成図。
【図２】転写ローラと定着装置との間の概略構成図。
【図３】記録材としての紙の帯電量と除電バイアスとの関係を示すグラフ。
【図４】変形例に係る転写出口ガイド板の側面図。
【発明を実施するための形態】
【００１０】
以下、本発明による画像形成装置の実施の形態について説明する。
図１は、本発明の一実施形態に係る画像形成装置の構成を示す図である。図１において、カラー画像形成装置１は中間転写ベルト１１を有する転写装置１０と４つの画像ステーションが配置され、各画像ステーションには像担持体としての感光体ドラム２０Ｙ、２０Ｃ、２０Ｍ、２０Ｂｋをそれぞれ有し、その回りには専用の帯電装置３０Ｙ、３０Ｃ、３０Ｍ、３０Ｂｋ、現像装置５０Ｙ、５０Ｃ、５０Ｍ、５０Ｂｋ、クリーニング装置４０Ｙ、４０Ｃ、４０Ｍ、４０Ｂｋを有している。
【００１１】
転写装置１０の上方には、トナーを補給するトナーボトル５が装着されている。図中左からイエロー（Ｙ）、シアン（Ｃ）、マゼンタ（Ｍ）、黒（Ｂｋ）のトナーが充填されており、ここから図示しない搬送経路によって、所定の補給量だけ各色の現像装置５０Ｙ、５０Ｃ、５０Ｍ、５０Ｂｋに補給される。
【００１２】
次に、カラー画像形成装置１の動作について説明する。
まず、記録部材としての記録材Ｐが給紙カセット８１より給紙ローラ８２でフィードされ、記録材Ｐの先端がレジストローラ対８３まで到達すると図示しないセンサによって検知され、この検出信号でタイミングを取りながら、レジストローラ対８３によって記録材Ｐを二次転写ローラ１５と中間転写ベルト１１の二次転写ニップ部に搬送する。
【００１３】
あらかじめ帯電装置３０Ｙ、３０Ｃ、３０Ｍ、３０Ｂｋによって一様に帯電された感光体ドラム２０Ｙ、２０Ｃ、２０Ｍ、２０Ｂｋは、露光装置７０によりレーザー光７１Ｙ、７１Ｃ、７１Ｍ、７１Ｂｋにて露光走査され、感光体ドラム２０Ｙ、２０Ｃ、２０Ｍ、２０Ｂｋ上に各イエロー（Ｙ）、シアン（Ｃ）、マゼンタ（Ｍ）、黒（Ｂｋ）の静電潜像が作られる。各静電潜像は、それぞれ各色の現像装置５０Ｙ、５０Ｃ、５０Ｍ、５０Ｂｋにより現像され、感光体ドラム２０Ｙ、２０Ｃ、２０Ｍ、２０Ｂｋ表面にイエロー、シアン、マゼンタ、黒のトナー像が形成される。駆動を持たない中間転写ベルト１１は、回転を始めた像担持体としての感光体ドラム２０Ｙ、２０Ｃ、２０Ｍ、２０Ｂｋとの摩擦力によって駆動を始め、次に一次転写ローラ１３Ｙ、１３Ｃ、１３Ｍ、１３Ｂｋに電圧が印加され、感光体ドラム２０Ｙ、２０Ｃ、２０Ｍ、２０Ｂｋ上のトナーが、中間転写ベルト１１上に順次転写されていく。この時各色の作像動作は、そのトナー像が中間転写ベルト１１の同じ位置に重ねて転写されるように、上流側から下流側に向けてタイミングをずらして実行される。
【００１４】
中間転写ベルト１１上に形成された画像は、二次転写ローラ１５の位置まで搬送され、記録材Ｐに静電的に二次転写される。各色のトナー像が転写された記録材Ｐは、上方に設けられた定着装置６０に向かってほぼ垂直に搬送されている。搬送方向は、垂直方向でなくとも良いが、垂直方向の方が画像形成装置の小型化が可能であり、搬送距離を短くすることから画像形成動作の時間を短くすることができる。記録材Ｐは、定着装置６０に搬送されて加圧ローラ６１と定着ローラ６２との間に形成される定着領域で、熱及び圧力で定着され、排紙ローラ８４で排紙される。これで、１枚の画像形成ジョブが終了する。
【００１５】
なお、感光体ドラム２０Ｙ、２０Ｃ、２０Ｍ、２０Ｂｋ上の残留トナーは、それぞれのクリーニング装置４０Ｙ、４０Ｃ、４０Ｍ、４０Ｂｋでクリーニングされ、その後、直流に交流成分のバイアスが重畳印加された帯電装置３０Ｙ、３０Ｃ、３０Ｍ、３０Ｂｋによって除電と同時に帯電され、次の作像ジョブに備える。また、中間転写ベルト１１上の残留トナーは、弾性中間転写ベルト用のベルトクリーニング装置１４によってクリーニングされ、次の作像ジョブに備える。
【００１６】
図２は、カラー画像形成装置１の、二次転写ローラ１５と定着装置６０との間の構成を示す概略図である。近年増加しているカラー電子写真装置の中で、４つの画像形成装置を並べるタンデム型で記録材Ｐが縦に搬送される装置の図を示している。
上述したように、記録材Ｐは給紙カセット８１から送られて、レジストローラ８３を通過すると中間転写ベルト１１と接する。カラー画像が形成された中間転写ベルト１１は記録材Ｐとともに二次転写ローラ１５とのニップ部に進入し、二次転写ローラ１５に印加されるバイアスによって、中間転写ベルト１１から記録材Ｐへと移る。さらに、トナー像が転写された記録材Ｐは定着装置６０に向かい、定着ローラ６２と加圧ローラ６１とによって、加熱および加圧されて画像を記録材Ｐに定着して描写している。
【００１７】
ここで、記録材Ｐは前述した通り二次転写ローラ１５で画像が転写されて形成されることになるが、二次転写ローラ１５の二次転写ニップ部から定着装置６０の間では記録材Ｐに未定着のトナーが残っていることもあり、画像面側に積極的な保持を行うことはできない。本実施形態のカラー画像形成装置１では、図２に示すように、記録材Ｐを上方向の縦方向への搬送（以下、「縦搬送」という。）を行って、ほぼ垂直方向に搬送する。このような縦搬送のカラー画像形成装置１に対して、記録材Ｐを水平方向の横方向への搬送（以下、「横搬送」という。）を行う画像形成装置では、未定着トナー像を上に載せたまま記録材Ｐの下側を搬送ベルト等で重力に従った状態で送ることも可能である。しかし、縦搬送の場合はその重力あるいは内部の気流などの影響で紙の動きが乱され、斜行し、定着装置６０間の定着ニップ部に搬送されず紙詰まりになることがある。
【００１８】
一般的に、上記紙詰まりを防止するために、転写装置から定着装置までの間で記録材の非画像面の側に搬送を補助する搬送用ガイド部材が設けられている。本実施形態のカラー画像形成装置１では、二次転写ローラ１５の二次転写ニップ部から定着装置６０までの間で搬送用ガイド部材として転写出口ガイド板１６と定着入口ガイド板６３とが設けられている。これらの転写出口ガイド板１６と定着入口ガイド板６３との位置を調整することで記録材Ｐの搬送安定性を保っている。ただし、これらの転写出口ガイド板１６と定着入口ガイド板６３との取り付け位置が適切でないと、転写出口ガイド板１６や定着入口ガイド板６３に記録材Ｐが当たらなかったり、もしくは逆に強く当たり過ぎたりして、記録材Ｐの搬送性が悪くなることが知られている。記録材Ｐの搬送性が悪くなると、二次転写ローラ１５の二次転写ニップ部では、画像形成の乱れとなる。例えば、転写出口ガイド板１６や定着入口ガイド板６３への記録材Ｐの当たりが不均一であると、記録材Ｐの搬送負荷となって、搬送方向と直交する幅方向で記録材Ｐへの画像の転写時間の微少な変化が生じ、画像平行度を乱すことになる。
【００１９】
本実施形態のカラー画像形成装置１では、二次転写ニップ部での剥離放電による転写チリなどの画像の乱れを防ぐために、転写出口ガイド板１６及び定着入口ガイド板６３のうち、二次転写ローラ１５の近くに配設された転写出口ガイド板１６が、記録材Ｐに除電バイアスを印加する除電部材としての機能を兼ね備えている。これにより、別途除電部材を設けなくてもよいので、低コスト化、省スペース化を図ることができるとともに、除電部材が記録材Ｐの搬送を妨げることもない。また、二次転写ニップ部を通過した記録材Ｐに転写後すぐに除電バイアスを印加でき、剥離放電をより有効に防ぐことができる。この転写出口ガイド板１６は、アルミニウムやステンレスなどの導電性部材で構成してもよい。
また、カラー画像形成装置１は、図２に示すように、表面電位検出手段としての表面電位計６４と、除電バイアス制御手段としての制御部６５と、除電バイアス印加手段としての除電バイアス電源６６とを備えている。
【００２０】
上記表面電位計６４は、図２中、上方向に縦搬送されながら中間転写ベルト１１と二次転写ローラ１５との間の二次転写ニップ部を通過してトナー像が転写された記録材Ｐの表面電位を測定する。この表面電位計６４は、静電誘導現象を利用して電位を測定するものであり、所定の測定距離において、帯電物体である記録材Ｐからの静電界強度を検出して、帯電電位を非接触で測定する。なお、表面電位計６４は、記録材Ｐの搬送方向と直交する幅方向の略中央部に設置することが望ましい。これは、記録材Ｐの表面電位が表面の位置によってばらついた場合であっても、幅方向の中央部は帯電量（表面電位）が平均化されやすいためである。
上記制御部６５は、表面電位計６４の測定結果に基づいて除電バイアスの大きさを決定するものであり、図示しないＣＰＵ、ＲＯＭ、ＲＡＭ等により構成されている。
上記除電バイアス電源６６は、直流電圧を可変に出力するバイアス電源であり、制御部６５からの制御信号に基づいて所定の直流電圧を除電バイアスとして除電部材（転写出口ガイド板１６）に印加する。図２の例では、転写出口ガイド板１６に除電バイアスを印加するようになっているが、転写出口ガイド板１６に加え、定着入口ガイド板６３に除電バイアスを印加するように構成してもよい。
【００２１】
除電バイアスは次のようにして記録材Ｐに印加される。
まず、二次転写ニップ部を通過した記録材Ｐのトナー像が転写された画像面の表面電位を表面電位計６４で測定し、測定結果が制御部６５に入力される。次に、制御部６５では表面電位計６４の測定結果に基づいて、記録材Ｐで剥離放電による転写チリが生じない除電バイアスの大きさを決定し、決定した除電バイアスを転写出口ガイド板１６に印加するように、除電バイアス電源６６に制御信号を送る。そして、除電バイアス電源６６は、制御部６５からの制御信号に基づいて、転写出口ガイド板１６に除電バイアスを印加する。
記録材Ｐの帯電量は、環境、紙種、画像面積率などによって変動するが、転写後の記録材Ｐ表面の帯電量を表面電位計６４で測定し、この測定した電位に基づいて転写出口ガイド板１６に印加させる除電バイアスの大きさを決定する。これにより、記録材Ｐの帯電量の変動に応じて最適な大きさの除電バイアスを、記録材Ｐに印加することができる。従って、転写チリの発生による画像品質の劣化を防ぐことができる。
【００２２】
次の表１は、紙種、環境、画像面積率を一定にした場合において、転写出口ガイド板１６に印加させる除電バイアスを変化させたときのチリのランク評価を示す評価実験結果である。除電バイアスは直流バイアスのみを印加させる。また、チリランクは数値が大きいほど転写チリの発生が少ないことを示す。
表１に示すように、適切な除電バイアスをかけることでチリのランクは改善されるが、逆にバイアスが強すぎた場合でも、チリのランクは悪化してしまう。本評価実験の実験条件においては、除電バイアスの大きさは、−３．０〜−１．０[ｋＶ]が望ましい。
【００２３】
【表１】
2013057901.tif 000003
【００２４】
図３は、具体的な除電バイアスの決定方法を示すグラフであり、記録材としての紙の帯電量と転写チリの発生を有効に防ぐことができる除電バイアスの大きさとの関係を示すグラフである。このグラフによれば、紙の帯電量が多くなるほど、除電するバイアスを強め、逆に紙の帯電量が少ない時は、除電バイアスも弱める制御を行えばよい。
【００２５】
〔変形例１〕
上記実施形態では、除電部材としての機能を兼ねる転写出口ガイド板１６を単一の部材で構成したが、複数の部材で構成してもよい。
図４は、変形例に係る転写出口ガイド板１６０の側面図である。図４において、転写出口ガイド板１６０は、ガイド板本体１６１と、薄板状の導電性部材１６２とから構成されている。ガイド板本体１６１は樹脂材料からなるモールド成型品であり、表面の平滑度が高く摺動性に優れており、記録材Ｐの搬送抵抗を少なくしている。また、薄板状の導電性部材１６２は、記録材Ｐに除電バイアスを印加する除電部材であり、銅やアルミニウムなどからなり、除電バイアス電源６６に接続されている。薄板状の導電性部材１６２は、ガイド板本体１６１の記録材Ｐが接触しない裏側の面に取り付けられている。
【００２６】
本変形例に係る転写出口ガイド板１６０を用いることにより、二次転写ニップ部でトナー像が転写された記録材Ｐは、ガイド板本体１６１に接触して、図中上方向に搬送されながら、薄板状の導電性部材１６２により所定の除電バイアスが印加される。記録材Ｐはガイド板本体１６１を介して導電性部材１６２から除電バイアスが印加され、二次転写ニップ部での剥離放電が防止される。ここで、記録材Ｐが導電性部材１６２に接触する構成の場合には、接触する強さや接触位置によって、記録材Ｐの表面が均一に除電されないおそれがある。本変形例に係る転写出口ガイド板１６０は、記録材Ｐが導電性部材１６２に接触せず、ガイド板本体１６１の厚み分のクリアランスを保った状態で記録材Ｐに除電バイアスを印加するので、記録材Ｐが均一に除電される。
【００２７】
以上に説明したものは一例であり、本発明は、次の態様毎に特有の効果を奏する。
（態様Ａ）
トナー像を担持する中間転写ベルト１１などの像担持体と、中間転写ベルト１１上のトナー像を記録材Ｐなどの記録部材に転写する二次転写ローラ１５などの転写手段と、二次転写ローラ１５によってトナー像が転写された記録材Ｐを除電する転写出口ガイド板１６などの除電部材と、転写出口ガイド板１６に除電バイアスを印加する除電バイアス電源６６などの除電バイアス印加手段と、を備えた画像形成装置において、除電バイアス電源６６から出力される除電バイアスを記録材Ｐの帯電量に基づいて制御する制御部などの除電バイアス制御手段を設けた。これによれば、上記実施形態について説明したように、記録材Ｐの帯電量に基づいて制御された除電バイアスが転写出口ガイド板１６に出力され、転写出口ガイド板１６から転写後の記録材Ｐに除電バイアスが印加される。これにより、記録材Ｐの帯電量が変動した場合であっても、記録材Ｐにはその帯電量に応じた適切な除電バイアスが印加され、転写チリなどによる画像品質の劣化を防ぐことができる。
（態様Ｂ）
上記態様Ａにおいて、トナー像転写面の表面電位を検出する表面電位計６４などの表面電位検出手段を設け、制御部６５は表面電位計６４の検出結果を記録材Ｐの帯電量として用いる。これによれば、表面電位計６４により転写後の記録材Ｐの表面電位を正確に検出することができ、この検出結果に基づいて記録材Ｐに印加する除電バイアスを制御するので、より適切な除電バイアスを記録材Ｐに印加することができる。
（態様Ｃ）
上記態様Ｂ又はＣにおいて、二次転写ローラ１５によってトナー像が転写された後の記録材Ｐの搬送をガイドする転写出口ガイド板１６や定着入口ガイド板６３などの搬送用ガイド部材を設け、転写出口ガイド板１６や定着入口ガイド板６３が除電部材を兼ねる。これによれば、別途除電部材を設けなくてもよいので、低コスト化、省スペース化を図ることができる。また、除電部材が記録材Ｐの搬送を妨げることもない。
（態様Ｄ）
上記態様Ｃにおいて、
転写出口ガイド板１６や定着入口ガイド板６３などの搬送用ガイド部材を複数備え、二次転写ローラ１５に最も近い位置に配設された転写出口ガイド板１６が除電部材を兼ねる。これによれば、二次転写ローラ１５を通過した転写紙Ｐに転写後すぐに除電バイアスを印加でき、剥離放電をより有効に防ぐことができる。
（態様Ｅ）
上記態様Ａ乃至Ｄのいずれかの態様において、除電バイアス電源６６は、転写出口ガイド板１６に直流の除電バイアスを印加する。これによれば、帯電した記録材Ｐに、低電位又は逆極性の直流の除電バイアスを印加して、記録材Ｐを除電する。
（態様Ｆ）
上記態様Ｂ乃至Ｅのいずれかの態様において、表面電位検出手段を表面電位計６４を用いて構成した。これによれば、トナー像が転写された記録材Ｐの表面電位を非接触で正確に検出することができる。
（態様Ｇ）
上記態様Ｂ乃至Ｆのいずれかの態様において、表面電位計６４は、記録材Ｐの搬送方向と直交する幅方向における記録材Ｐの略中央部の表面電位を検出するように構成した。記録材Ｐの表面電位は表面の位置によって若干ばらつくことがあるが、記録材Ｐの幅方向の中央部は帯電量が平均化されやすい。よって、記録材Ｐの表面電位が表面の位置によってばらついた場合であっても、表面電位計６４は平均に近い値を検出することができ、記録材Ｐに適切な除電バイアスを印加することが可能となる。
（態様Ｈ）
上記態様Ｃ乃至Ｇのいずれかの態様において、転写出口ガイド板１６の記録材Ｐが搬送されて接する部分をガイド板本体１６１などのモールド成型部材とし、転写出口ガイド板１６の記録材Ｐが接しない部分を薄板状の導電性部材１６２とした。これによれば、変形例について説明したように、記録材Ｐは、表面の平滑度が高く摺動性に優れたガイド板本体１６１などの樹脂成型されたモールド成型品と接するので、記録材Ｐの搬送抵抗が低減され、斜行を防いで二次転写ニップ部での良好な転写が可能となる。
（態様Ｉ）
上記態様Ｈにおいて、除電バイアス電源６６は、薄板状の導電性部材１６２に除電バイアスを印加する。これによれば、変形例について説明したように、記録材Ｐが導電性部材１６２に接触せず、ガイド板本体１６１の厚み分のクリアランスを保った状態で記録材Ｐに除電バイアスを印加するので、記録材Ｐが均一に除電される。
【符号の説明】
【００２８】
１  カラー画像形成装置
１０  転写装置
１１  中間転写ベルト
１２  張架ローラ
１３  一次転写ローラ
１４  ベルトクリーニング装置
１５  二次転写ローラ
１６  転写出口ガイド板
２０  感光体ドラム
３０  帯電装置
４０  クリーニング装置
５０  現像装置
５１  現像スリーブ
６０  定着装置
６１  加圧ローラ
６２  定着ローラ
６３  定着入口ガイド板
６４  表面電位計
６５  制御部
６６  除電バイアス電源
７０  露光装置
７1  レーザー光
８０  給紙装置
８１  給紙カセット
８２  給紙ローラ
８３  レジストローラ
８４  排紙ローラ
１６０  転写出口ガイド板
１６１  ガイド板本体
１６２  薄板状の導電性部材
Ｐ  記録材
【先行技術文献】
【特許文献】
【００２９】
【特許文献１】特開２００５−２４１９４７号公報
【図１】
2013057901.tif 000004
【図２】
2013057901.tif 000005
【図３】
2013057901.tif 000006
【図４】
2013057901.tif 000007